(57)【特許請求の範囲】
【請求項１】
縦リブと横リブからなる複数の板状リブを基端から先端に向かって肉厚を徐々に薄くし、且つ縦リブと横リブとを互いに交差させて形成した格子状体と、
前記格子状体の各格子空間を遮蔽する平板状の基板と、を具備して両者が一体成形された合成樹脂製の緩衝部材が、前記板状リブの基端から先端に向かう方向を二輪車の車両前後方向に合わせると共に、前記基板が前面衝突方向に面し、前記格子空間の格子開口が車両後方に向くような姿態で複数段積みされて、二輪車の前部に取付けられ、さらに前記格子状体が、中心に近づくにつれ縦リブのピッチを徐々に大きくし、また横リブのピッチも中心に近づくにつれピッチを徐々に大きくし、前記格子状体の中央に在る格子の開口を他部分のものより大きくしたことを特徴とする二輪車用衝撃吸収体。
【発明の詳細な説明】
【０００１】
【発明の属する技術分野】
本発明は、二輪車の前面衝突に対して乗員を効果的に保護する二輪車用衝撃吸収体に関する。
【０００２】
【従来の技術】
自動車では衝突時における乗員保護を目的として、衝撃吸収体が用いられている。例えば側面衝突時において、乗員頭部を保護するためにピラーガーニッシュの内側や、乗員の腰，胸を保護するためにドアトリムの内側等に衝撃吸収体が設置されている。そして、その衝撃吸収体には比較的低コストで造れる樹脂リブが多用されてきた（特開平８−１６４８１０号,特許第２９７８０８３号等）。
【０００３】
【発明が解決しようとする課題】
しかるに、二輪車に関してはこれまで衝突時のエネルギ吸収についてあまり検討されてこなかった。
また、二輪車用の衝撃吸収体では自動車のものに比べ、はるかに大きなエネルギを吸収する必要があった。例えば、自動車の場合は質量４.５４kgのダミーヘッドが速度１５mile／h（＝６.７１m/s）で衝突するエネルギを基準にしており、吸収すべき運動エネルギＥk＝１／２ｍｖ２が１０２.１［J］であるのに対し、二輪車の場合は車両質量を１００kg、走行速度５０km/h（＝１３.８９m/s）とすると、その吸収すべき運動エネルギＥkが９６４６［J］になり、ケタ違いに大きなエネルギ吸収を行わねばならなかった。
自動車用の樹脂リブを用いるにしても、リブ高さは高々６０ｍｍ程度であり、この吸収ストロークで二輪車の場合に適用するとなると相当の面積を要し、事実上不可能であった。この衝撃吸収体は二輪車の前方につけられることから、前影面積を大きくすることはできなかった。一方、樹脂リブを高くする方法を採用するにしても、製造上、抜きテーパをつける関係からリブの肉厚がどんどん厚くなって、発生荷重が大きくなってしまう不具合を招来させた。
【０００４】
本発明は上記問題点を解決するもので、衝突時の大きなエネルギを効率良く吸収して、且つ二輪車への取付けを容易にする二輪車用衝撃吸収体を提供することを目的とする。
【０００５】
【課題を解決するための手段】
上記目的を達成すべく、請求項１に記載の発明の要旨は、縦リブと横リブからなる複数の板状リブを基端から先端に向かって肉厚を徐々に薄くし、且つ縦リブと横リブとを互いに交差させて形成した格子状体と、前記格子状体の各格子空間を遮蔽する平板状の基板と、を具備して両者が一体成形された合成樹脂製の緩衝部材が、前記板状リブの基端から先端に向かう方向を二輪車の車両前後方向に合わせると共に、前記基板が前面衝突方向に面し、前記格子空間の格子開口が車両後方に向くような姿態で複数段積みされて、二輪車の前部に取付けられ、さらに前記格子状体が、中心に近づくにつれ縦リブのピッチを徐々に大きくし、また横リブのピッチも中心に近づくにつれピッチを徐々に大きくし、前記格子状体の中央に在る格子の開口を他部分のものより大きくしたことを特徴とする二輪車用衝撃吸収体にある。
【０００６】
請求項１の発明のごとく、格子状体が板状リブの基端から先端に向かう方向を二輪車の車両前後方向に合わせるようにして段積みされ、その二輪車の前部に取付けられると、格子状体の段積み（積み上げ）により二輪車の全面衝突に対して衝撃吸収ストロークを大きくとることができ、所望の大きな衝撃を吸収できる。
二輪車では前影面積を大きくすることができないが、車両前後方向に３６０ｍｍ程度確保することにより新たな拠り所を探し、一枚ものの格子状体では板状リブが抜きテーパをつける関係からリブ基端の肉厚が厚くなりすぎる問題を、緩衝部材の段積みによって解決される。緩衝部材が段積みされていることから、その一つを構成する格子状体の板状リブ高さは６０ｍｍ程度に抑えることができ、抜きテーパをつけてもリブ基端の肉厚が厚くなりすぎることがなく、発生荷重が大きくなる不具合はない。格子状体体と基板とが一体成形された緩衝部材が段積みされると、段積みされた各緩衝部材が衝撃荷重を受ける場合、基板全体で衝撃荷重をまず受けてこれが各板状リブに伝わり、板状リブが連続的に潰れて効果的に衝撃荷重を吸収できるようになる。前記基板が前面衝突方向に面し、前記格子空間の格子開口が車両後方に向くような姿態で二輪車の前部に取付けられると、衝撃吸収体が衝撃荷重を受ける際に、まず基板全体でその荷重を受け止め、しかる後、格子状体の各板状リブに荷重を分散させることができる。段積みして衝撃荷重を受ける際、基板全体で荷重を受けてから、その後、格子状体の各板状リブに分散させ該板状リブを座屈,変形させていくので、衝撃荷重をより効果的に吸収できる。
その一方で、格子状体を全面圧縮で押し潰していくと、一段の緩衝部材を潰す場合は問題ないが、多段に積層（段積み）された緩衝部材においては、中段に位置する中心部分が残る。先に外側のどこかの板状リブが潰れるとその方向に傾いてしまい、傾いた格子状体は前後の板状リブによって段積み部分から外へと押出される。外へはじかれた板状リブＦは潰れることがないためエネルギ吸収ができない事態に陥る。これに対し、前記格子状体が、中心に近づくにつれ縦リブのピッチを徐々に大きくし、また横リブのピッチも中心に近づくにつれピッチを徐々に大きくし、前記格子状体の中央に在る格子の開口を他部分のものより大きくなると、格子状体の中央を意図的に弱くしたことになり、衝撃荷重を受けた際、安定的に潰れるようになる。
【０００７】
【発明の実施の形態】
以下、本発明の二輪車用衝撃吸収体（以下、単に「衝撃吸収体」という。）について詳述する。図１〜図９は、本発明に係る衝撃吸収体の一形態で、図１は二輪車に取付けた衝撃吸収体の説明斜視図、図２は図１の衝撃吸収体の縦断面図、図３は衝撃吸収体の分解斜視図、図４は図３のＸ-Ｘ線矢視図、図５は緩衝部材の縦断面図、図６は緩衝部材の平面図、図７は衝撃吸収の模様を示す説明図、図８は発生荷重vs変位のグラフ、図９は発生荷重vs時刻のグラフである。図１,図２で、白抜き矢印は前面衝突の衝撃荷重の方向を示す。
【０００８】
衝撃吸収体は、板状リブ２ａを基端２１から先端２２に向かって肉厚を徐々に薄くし、且つ互いに交差させて形成した合成樹脂製格子状体２を有する緩衝部材１が、前記板状リブ２ａの基端２１から先端２２に向かう方向を二輪車９の車両前後方向に合わせるようにして段積みされたものである。図１の衝撃吸収体は緩衝部材１が６段に段積みされた形である。図３の分解斜視図はそのうちの３つの緩衝部材１だけを示す。
【０００９】
格子状体２は合成樹脂製で、プレート部からなる板状リブ２ａが互いに交差し、前面衝突方向に対して格子状になるよう配設される。格子状体２については衝突時に加わる強い外力により容易に座屈,変形できるようにし、その衝撃が吸収できる緩衝機能を発揮する。具体的には、格子状体２を形成する各板状リブ２ａが、その基端２１における肉厚ｔ２に対し、先端２２の肉厚ｔ１を小さくテーパ状に設定し（図４）、先端２２に向かうにつれ格子状体２の肉厚ｔを徐々に薄くしている。衝撃荷重が加わった際に、格子状体２の弱い先端部分２２から徐々に座屈変形を進行させていき、衝撃圧を効率良く吸収する。さらに、格子状体２が段積みされる（積み上げられる）ことによって衝撃荷重をより効果的に吸収する。本実施形態は、格子状に形成する板状リブ２ａの縦リブ２ａ１と横リブ２ａ２について同形のプレート部とするが、縦リブ２ａ１と横リブ２ａ２の厚み等を別個に適宜選定できる。
格子状体２を形成する板状リブ２ａは、効果的な衝撃吸収を鑑みれば、その高さが３０ｍｍ〜６０ｍｍで、先端２２厚みｔ１が０.５ｍｍ〜１.０ｍｍ、基端２１厚みｔ２が１.０ｍｍ〜２.５ｍｍといった範囲が好適範囲になる。格子状体２そのものの大きさは縦Ａが１４０ｍｍ程度、横Ｂが２００ｍｍ程度で、高さは前述のごとく３０ｍｍ〜６０ｍｍで、格子空間２３を形成する板状リブ２ａのピッチは２０ｍｍ〜３０ｍｍ程度である。これが横置き数段（ここでは６段）に段積みされて衝撃吸収体になり、図１のごとくカバー５で覆われた状態にして二輪車９の前部に取着される。
【００１０】
本発明の衝撃吸収体は格子状体２を有すればよいが、格子状体２と該格子状体２の各格子空間２３を遮蔽する基板３とを具備して、これらが一体成形された合成樹脂製の緩衝部材１を用いればより好ましくなる。格子状体２と基板３とが一体成形された緩衝部材１が段積みされ、詳しくは、板状リブ２ａの先端２２が隣に配される緩衝部材１の基板３に当接するようにして横置き数段に積み上げられる。緩衝部材１,１,…が段積みされた衝撃吸収体に衝撃荷重が加わると、基板３全体で衝撃荷重を受けてこれが各板状リブ２ａに伝わり座屈,変形を起こしてその衝撃荷重をうまく吸収できる。
緩衝部材１の樹脂材質には、例えばＰＰ,ＰＰＦ,ＡＢＳ,ＰＣ／ＡＢＳ（ポリカーボネートとＡＢＳとのアロイ）等の熱可塑性樹脂が採用される。
【００１１】
基板３は平板状体で、格子状体２に連接して格子空間２３を遮蔽するものである。ここでの基板３は図２,図３のごとく格子リブの基端側２１で格子状体２に連接する天板になっており、格子リブ２ａがつくる基端側２１の格子開口面を基板３が覆うようにして、該基板３と前記格子状体２が一体成形で設けられている。平板状の基板３は、該基板３から板状リブ２ａが基端２１を根元にし先端２２に向かうにつれ肉厚ｔを薄くして格子状に立設してなる格子状体２との一体品としている。基板３が前面衝突方向に面して、各緩衝部材１の格子開口Ｓが車両後方に向く姿態で二輪車前部９１に取付けられる（図２）。衝撃吸収体が衝撃荷重を受ける際に、まず基板３全体でその荷重を受け止め、しかる後、格子状体２の各板状リブ２ａ,２ａ,…に荷重を分散させることができる。基板３の厚みは、衝撃を全面で受けられるようある程度の剛性が必要となる。ここでは、厚み２ｍｍの基板３を用いる。剛性を確保するためフランジ等を適宜設けて補強してもよい。
本実施形態は基板３が格子状体２の基端２１面を覆うように設けられているが（図５のイ）、基板３は格子空間２３を遮蔽するものであればよく、例えば図５（ロ）,（ハ）のごとく格子状体２の内部を基板３が横切る形で格子空間２３を遮蔽するよう設けることが出来る。図５（ロ）は基板３から両サイドに板状リブ２ａ,２ａが基端２１を根元にし先端２２に向かうにつれ肉厚を薄くして格子状に立設し格子状体２,２を形成する。基板３と該基板３の両サイドにできる格子状体２,２との一体品である。図５（ハ）は基板３の片側の面に基端２１を付け根にして先端２２に向かうにつれ肉厚を薄くした板状リブ２ａにより格子状体２が立設するが、他側の面には基端２１を付け根にして先端２２に向かうにつれ肉厚を薄くした板状リブ２ａによる側面視十文字体４が立設する。図５（ロ）,（ハ）とも、基板３の両サイドから張り出す格子状体２或いは十文字体４に抜きテーパがつけられるため製造上何ら問題ない。十文字体４は緩衝部材１が段積みされたとき、段積みされる隣の格子状体２の格子空間２３内に収まって衝撃吸収体を形成する。衝撃荷重が加わった際にこの十文字体４の機械的強度の弱い先端部分２２から座屈変形を起こしてこの部分でも衝撃吸収することができる。衝撃吸収体が段積みされる高さに制限があるときなどに該十文字体４は有効になる。
【００１２】
さらに、本実施形態では格子状体２の中央に在る格子の開口Ｓを他部分より大きくした緩衝部材１を採用する。本発明は緩衝部材１（格子状体２）が段積みされた衝撃吸収体である。格子状体２の外側に位置する板状リブ２ａは変形する際に外側へ逃げることが可能であるが、格子状体２の中心付近になると逃げ場がない。格子状体２の中央が硬く、外が軟らかい状態になっている。格子状体２を全面圧縮で押し潰していくと、一段の緩衝部材１を潰す場合は問題ないが、多段に積層（段積み）された緩衝部材１においては、中段に位置する中心部分が残る。先に外側のどこかの板状リブ２ａが潰れるとその方向に傾いてしまい、傾いた格子状体２は前後の板状リブ２ａによって段積み部分から外へと押出される。外へはじかれた板状リブＦは潰れることがないためエネルギ吸収ができない事態に陥る（図７のイ）。勿論、段積みされた緩衝部材１,１,…がズレるのを係止機構,接着,熱溶着等を用いて行っているが、板状リブＦがやはり外へはじき出される傾向にある。そこで、格子状体２の中央Ｋを意図的に弱くすることによって（図７のロ）、すなわち格子状体２の中央に在る格子の開口Ｓを他部分より大きくすることによって、安定的に潰れるようにする。
【００１３】
具体的には、格子状体２の先端側２２から見た格子の平面図を図６（ロ）,（ハ）のごとくにする。図６は格子状体２の先端地点２２の開口模様を表す概略平面図である。板状リブ２ａが等ピッチで配された図６（イ）の格子状体２でもよいが、図６（ロ）のように格子状体２が中心に近づくにつれそのピッチを縦リブ２ａ１で…,ｎ３,ｎ２,ｎ１と大きくし、また横リブ２ａ２で…,ｍ３,ｍ２,ｍ１と大きくして格子状体２の中央に在る格子の開口Ｓ１を他部分のものＳ２,Ｓ３,…より大きくするのである。或いは、図６（ハ）のように複数の板状リブ２ａを互いに交差させて格子状体２を形成するにあたり、中央域Ｃに配される板状リブ２ａの一部が間抜きされた格子状体２にするのである。これにより中央に在る格子開口Ｓ１が他部分のものより大きくなる。
【００１４】
図６（イ）のような等間隔で格子開口Ｓがあると、中心軸に芯Ｋ（固い部分）がある状態となり（図７のロ）、押し潰していくと弱い方向に倒れ不安定になる（図７のイ）。傾いて潰れた格子状体２が脱落し、外へ板状リブＦがはじき出される傾向にある。これに対し、中央域Ｃに配される板状リブ２ａの一部を間抜きしたり、格子状体２の中央に在る格子開口Ｓを他部分より大きくしたりすると、前記芯が取り除かれた状態になり安定的に潰れる。本実施形態は図６（ハ）の格子状体２を有し、且つ基板３を備えた緩衝部材１を採用し、６段積み重ねられてたものとするが（図１〜図４）、これの対比代表試験結果を図８に示す。図８（ロ）は本実施形態のごとく中央域Ｃで縦リブ２ａ１の１本の一部と横リブ２ａ２の２本の一部を間抜きした場合で、図８（イ）は間抜きしなかった場合である。間抜きがないと、図８（イ）のごとくある程度押し潰された段階（Ｗ地点）で、リブ脱落により発生荷重が低下してしまう。さらに脱落した板状リブ２ａがエネルギ吸収できなかった分、後半（Ｚ地点）で発生荷重が高くなってしまう。これに対し、本実施形態の緩衝部材１が段積みされた衝撃吸収体は、図８（ロ）のごとく変位に対する発生荷重が安定し、衝突事故時の衝撃をうまく吸収できる。図示を省略するが、図６（ロ）のごとく格子状体２の中央に在る格子開口Ｓ１を他部分より大きくした緩衝部材１が段積みされた衝撃吸収体を用いた場合も、図８（ロ）のグラフと同様に発生荷重が安定するのを確認している。
【００１５】
また、図９に本実施形態の衝撃吸収体を用いた発生荷重〜変位関係グラフを示す。図９で実線で示す衝撃吸収体Ａが間抜きした本実施形態品で、鎖線で示す衝撃吸収体Ｂは間抜きせずに等間隔で格子開口Ｓを形成したものである。破線は理想曲線値を表している。衝撃吸収体Ｂも従来品に比べればかなりの衝撃吸収が可能である。しかし、上下又は左右に大きくたわみ、中央部分の板状リブ２ａのブロックが脱落し、発生荷重が一旦下がり、エネルギを吸収しきれないまま最終接触を起こして高い発生荷重を出力する。これに対し、衝撃吸収体Ａは上下左右にたわむことなくまっすぐに圧縮が進み、ほぼ理想曲線に近い形でエネルギを吸収しきっている。
【００１６】
ちなみに、図９で吸収エネルギＥを概算すると次のような値になる。発生荷重をＦ［N］,変位をＳ［m］とすると、理想曲線では４０×１０３［N］を２４０［mm］出力し続けていることから、Ｅ＝Ｆ×Ｓ＝４０×１０３［N］×０.２４［m］＝９６００［J］となり、前記従来技術の欄で述べた二輪車９に要求される吸収エネルギＥkにほぼ等しくなり、対策が講じられているのが判る。
【００１７】
このように構成した衝撃吸収体は格子状体２を有する緩衝部材１,１,…が、板状リブ２ａの基端２１から先端２２に向かう方向を二輪車９の車両前後方向に合わせるようにして段積みされ、且つ板状リブ２ａは基端２１から先端２２に向かって肉厚を徐々に薄くしているので、衝撃を効率良く吸収できる。これが二輪車９の前部に取付けられることによって、二輪車９の前面衝突に対していかんなく威力を発揮できる。二輪車９では前影面積を大きくすることができないが、車両前後方向に３６０ｍｍ程度確保することにより新たな拠り所を探し、一枚ものの格子状体２では板状リブ２ａが抜きテーパをつける関係からリブ基端２１の肉厚が厚くなりすぎる問題を、段積みによって解決を見出している。長いストロークを確保して格子状体２（緩衝部材１）の段積みを採用することによって、板状リブ２ａの肉厚がアップすることもなく、エネルギを最後まで吸収できる。
さらに、格子状体２に基板３を具備する緩衝部材１を採用すれば、段積みして衝撃荷重を受ける際に、基板３全体で荷重を受けてから、その後、格子状体２の各板状リブ２ａに分散させ該板状リブ２ａを座屈,変形させていくので、衝撃荷重をより効果的に吸収できる。基板３で先ず衝撃荷重を受けるには、緩衝部材１の基板３が前面衝突方向に対向して面するよう設置するのが好ましい。
加えて、格子状体２の中央域Ｃに配される板状リブ２ａの一部を間抜きした状態にしたり、格子状体２の中央に在る格子の開口Ｓを他部分より大きくしたりすると、本発明のように緩衝部材１を段積みさせて長いストロークでエネルギ吸収する場合においても最後まで安定した発生荷重でエネルギを吸収できる。段積みの格子状体２（積層リブブロック）を押し潰しても板状リブ２ａの脱落がなく、全てのリブが効率良く衝撃エネルギを吸収する。かくして、自動車に比べ、ケタ違いに大きなエネルギ吸収が要求される二輪車９の前面衝突に対して極めて有益なものとなる。
【００１８】
尚、本発明においては、前記実施形態に示すものに限られず、目的，用途に応じて本発明の範囲で種々変更できる。緩衝部材１,格子状体２,基板３等の形状,大きさ,個数,材質等は用途に合わせて適宜選択できる。図１ではスクータタイプの二輪車９に衝撃吸収体を取着した例を示したが、図１０のデリバリータイプの二輪車９等に適用できるし、衝撃部材１の形状も例えば図１０のごとくピラミッド状にすることができる。衝撃部材の段積み数も用途に合わせて変更できる。
【００１９】
【発明の効果】
以上のごとく、本発明の二輪車用衝撃吸収体は、二輪車に取着可能にして、二輪車に要求される衝突時の大きなエネルギを効率良く吸収でき優れた効果を発揮する。
【図面の簡単な説明】
【図１】  本発明に係る衝撃吸収体の一形態で、二輪車に取付けた衝撃吸収体の説明斜視図である。
【図２】  図１の衝撃吸収体の縦断面図である。
【図３】  衝撃吸収体の分解斜視図である。
【図４】  図３のＸ-Ｘ線矢視図である。
【図５】  緩衝部材の縦断面図である。
【図６】  緩衝部材の平面図である。
【図７】  衝撃吸収の模様を示す説明図である。
【図８】  発生荷重vs変位のグラフである。
【図９】  発生荷重vs時刻のグラフである。
【図１０】  図１とは異なる二輪車に取付けた他形態の衝撃吸収体の説明斜視図である。
【符号の説明】
１          緩衝部材
２          格子状体
２ａ        板状リブ（格子リブ）
２ａ１      縦リブ
２ａ２      横リブ
２１        基端（基端側）
２２        先端（先端側）
２３        格子空間
３          基板
９          二輪車
９２        二輪車の前部
Ｃ          中央域
Ｓ          開口（格子開口）
Ｓ１         中央に在る格子の開口
ｔ,ｔ１,ｔ２    肉厚
【図１】
0004472898.tif 000002
【図２】
0004472898.tif 000003
【図３】
0004472898.tif 000004
【図４】
0004472898.tif 000005
【図５】
0004472898.tif 000006
【図６】
0004472898.tif 000007
【図７】
0004472898.tif 000008
【図８】
0004472898.tif 000009
【図９】
0004472898.tif 000010
【図１０】
0004472898.tif 000011